(57)【要約】自動分析装置の装置状況を確認する際の画面遷移操作を少なくすることにより、効率よく検査業務を進める。自動分析システムにおいて、タブレット端末１１４の端末情報管理部２１０は、自動分析装置の装置状況を示す装置情報を取得して、取得した装置情報に基づいて、自動分析装置における装置状況を示す状況確認画面を生成する。端末表示部２０８は、生成した状況確認画面を表示する。状況確認画面は、タブレット端末１１４に接続される自動分析装置毎に対応する装置ボタンを表示する第１の表示領域と選択された装置ボタンに対応する自動分析装置の装置状況を表示する第２の表示領域とを有する。情報管理部は、選択された装置ボタンに対応する自動分析装置の装置情報に基づいて、自動分析装置における装置状況を示す状況画面を生成して表示部に表示させる。
2018168432.tif 000002
【特許請求の範囲】
【請求項１】
検体を測定する１台以上の自動分析装置と、
前記自動分析装置に接続される端末装置と、
を有し、
前記端末装置は、
前記自動分析装置から出力される前記自動分析装置の装置状況を示す装置情報を取得して、取得した前記装置情報に基づいて、前記自動分析装置における装置状況を示す状況確認画面を生成する情報管理部と、
前記情報管理部が生成した前記状況確認画面を表示する表示部と、
を有し、
前記表示部が表示する前記状況確認画面は、前記端末装置に接続される前記自動分析装置毎に対応する装置ボタンを表示する第１の表示領域と、
選択された前記装置ボタンに対応する前記自動分析装置の装置状況を表示する第２の表示領域と、
を有し、
前記情報管理部は、前記装置ボタンが選択された際に、選択された前記装置ボタンに対応する自動分析装置の前記装置情報に基づいて、前記自動分析装置における装置状況を示す状況画面を生成して前記表示部に表示させる、自動分析システム。
【請求項２】
請求項１記載の自動分析システムにおいて、
前記情報管理部は、前記自動分析装置からアラートが通知された際に、前記自動分析装置の装置情報に基づいて、前記自動分析装置に対応する装置ボタンの表示が変化するように前記表示部に表示させる、自動分析システム。
【請求項３】
請求項２記載の自動分析システムにおいて、
前記表示部の前記第１の表示領域に表示される前記装置ボタンは、前記アラートの内容に対応する複数のアラートアイコンを有し、
前記情報管理部は、前記自動分析装置のアラートに対応するアラートアイコンの表示を変化させる、自動分析システム。
【請求項４】
請求項３記載の自動分析システムにおいて、
前記情報管理部は、表示が変化した前記アラートアイコンが選択された際に、前記アラートを通知した前記自動分析装置における前記装置情報に基づいて、前記アラートの内容を表示する通知画面を前記表示部の前記第２の表示領域に表示させる、自動分析システム。
【請求項５】
請求項３記載の自動分析システムにおいて、
前記装置ボタンが有する前記アラートアイコンは、
前記自動分析装置のアラーム通知情報を通知する第１のアイコンと、
前記自動分析装置の試薬残量不足を通知する第２のアイコンと、
前記自動分析装置のキャリブレーションまたは精度管理試料の測定終了を通知する第３のアイコンと、
緊急患者試料の測定終了を通知する第４のアイコンと、
を有する、自動分析システム。
【請求項６】
請求項１記載の自動分析システムにおいて、
前記情報管理部は、前記第２の表示領域に前記状況画面が表示されている際に新たな前記装置ボタンが選択されると、選択された前記装置ボタンに対応する新たな状況画面を現在表示されている前記状況画面の前面に表示し、前面の前記状況画面が閉じられた際に前記状況画面の背面に表示される状況画面を表示する、自動分析システム。
【請求項７】
請求項６記載の自動分析システムにおいて、
前記情報管理部は、前記第２の表示領域に表示されている前記装置ボタンの表示状態が第１の表示状態、第２の表示状態、または第３の表示状態のいずれであるかを区別できるように表示させ、
前記第１の表示状態は、前記第２の表示領域に前記状況画面が表示されている状態であり、
前記第２の表示状態は、前記第１の表示状態による前記状況画面の前面に新たな前記状況画面が表示されている状態であり、
前記第３の表示状態は、前記第２の表示領域に前記状況画面が表示されていない状態である、自動分析システム。
【請求項８】
請求項５記載の自動分析システムにおいて、
前記情報管理部は、通知する情報の重要度に応じて前記第１のアイコンおよび前記第２のアイコンの表示がそれぞれ区別できるように前記表示部に表示させる、自動分析システム。
【請求項９】
請求項６記載の自動分析システムにおいて、
前記情報管理部は、前記状況画面の前面に新たな状況画面が表示される際に、どの自動分析装置の状況を表示しているかを示す装置対応マークを前面に表示される前記状況画面に表示させ、
前記装置対応マークは、表示中の前記状況画面に対応する装置ボタンを示す、自動分析システム。
【請求項１０】
請求項１記載の自動分析システムにおいて、
前記情報管理部は、前記自動分析装置を前記端末装置に接続する処理であるログイン処理を完了した自動分析装置に対応する前記装置ボタンと前記ログイン処理が完了していない自動分析装置に対応する前記装置ボタンとの表示状態を区別して前記表示部に表示させる、自動分析システム。
【請求項１１】
請求項１記載の自動分析システムにおいて、
前記端末装置は、情報を入力する入力部を有し、
前記情報管理部は、前記入力部から入力される装置ボタン設定情報に基づいて、前記装置ボタンの表示順番を変更して前記装置ボタンを前記表示部に表示させる、自動分析システム。
【請求項１２】
請求項１記載の自動分析システムにおいて、
前記端末装置は、情報を入力する入力部を有し、
前記情報管理部は、前記入力部から入力される装置ボタン設定情報に基づいて、前記装置ボタンを表示または消去する、自動分析システム。
【請求項１３】
請求項１記載の自動分析システムにおいて、
前記端末装置は、携帯型情報端末である、自動分析システム。
【請求項１４】
請求項５記載の自動分析システムにおいて、
前記装置ボタンが有する前記アラートアイコンは、分析中の試料に異常が発生したことを通知する第５のアイコンを有し、
前記情報管理部は、前記自動分析装置から試料の異常が発生したことが通知されると、前記第５のアイコンが変化するように前記表示部に表示させ、前記装置情報に基づいて、前記試料の異常の内容を表示する通知画面を前記第２の表示領域に表示させる、自動分析システム。
【発明の詳細な説明】
【技術分野】
【０００１】
本発明は、自動分析システムに関し、特に、複数の自動分析装置における状況の確認に有効な技術に関する。
【背景技術】
【０００２】
自動分析装置の遠隔監視技術としては、例えば血液や尿などの生体試料（以下、単に試料と称する）と試薬とを用いることによって試料に含まれる特定成分の定量・定性分析を行う自動分析装置を無線ネットワークで接続して、タブレット端末などにより、該自動分析装置の状況を遠隔監視するものがある。【０００３】
タブレット端末は、携帯性を考量して画面サイズが小さく、また一般的に画面をタップして操作を行うため、デスクトップＰＣ（パーソナルコンピュータ）などに比べて１画面に表示される情報量は限られる。【０００４】
このため、タブレット端末によって複数台の自動分析装置を接続して監視する場合には、接続した自動分析装置のリストから参照したい１台の自動分析装置を選択して、選択した自動分析装置のアラーム状況や試薬状況、測定結果などの状況画面、さらにその詳細画面というように画面を階層化して、より詳細な情報を見せるように画面を構成している。【０００５】
この種の複数の自動分析装置を遠隔監視する技術としては、例えば特許文献１が知られている。この特許文献１には、複数の検体処理ユニットに対して、対応する検体処理ユニットの操作画面を表示するためのオブジェクトを複数の操作部のそれぞれに表示させ、入力部を介して操作部に設けられたオブジェクトを選択する操作を受け付けたときに、操作部に対応する検体処理ユニットの操作を行うための操作画面を共用領域の一部に重なるように表示部に表示させる旨が記載されている。
【先行技術文献】
【特許文献】
【０００６】
【特許文献１】特開２０１２−９３３２６号公報
【発明の概要】
【発明が解決しようとする課題】
【０００７】
上述したように、画面を階層化して、より詳細な情報を見せる構成では、画面階層が深くなり操作が煩雑になるという問題がある。例えば複数台の自動分析装置の状況表示において、まず見たい１台の自動分析装置を選択して、さらに自動分析装置内の分類分けした詳細情報を表示していくような画面構成などの場合である。【０００８】
具体的に言えば、例えば、タブレット端末にて１台の自動分析装置の状況画面を見ながら作業を行っている最中に、別の自動分析装置においてアラームが発生した場合、現在見ている自動分析装置の画面からまずアラームが発生している自動分析装置を選択してアラーム画面に遷移する必要がある。【０００９】
さらに、そのアラームの内容により対処が必要か判断する場合は、アラームの詳細な情報を表示する画面まで遷移する操作を行わなければならない。そして、アラームの詳細画面を見て対処する必要がないアラームだった場合には、現在の作業を続けるために、アラーム確認前の自動分析装置の画面まで戻らなければならず操作の手間が多くかかってしまうことになり、作業効率を低下させる要因となる。【００１０】
本発明の目的は、自動分析装置の装置状況を確認する際の画面遷移操作を少なくすることにより、効率よく検査業務を進めることができる技術を提供することにある。【００１１】
本発明の前記ならびにその他の目的と新規な特徴については、本明細書の記述および添付図面から明らかになるであろう。
【課題を解決するための手段】
【００１２】
本願において開示される発明のうち、代表的なものの概要を簡単に説明すれば、次のとおりである。【００１３】
すなわち、代表的な自動分析システムは、検体を測定する１台以上の自動分析装置と、該自動分析装置に接続される端末装置と、を有する。端末装置は、情報管理部および表示部を有する。【００１４】
情報管理部は、自動分析装置から出力される自動分析装置の装置状況を示す装置情報を取得して、取得した装置情報に基づいて、自動分析装置における装置状況を示す状況確認画面を生成する。表示部は、情報管理部が生成した状況確認画面を表示する。【００１５】
また、表示部が表示する状況確認画面は、第１の表示領域および第２の表示領域を有する。第１の表示領域は、端末装置に接続される自動分析装置毎に対応する装置ボタンを表示する。第２の表示領域は、選択された装置ボタンに対応する自動分析装置の装置状況を表示する。【００１６】
そして、情報管理部は、装置ボタンが選択された際に、選択された装置ボタンに対応する自動分析装置の装置情報に基づいて、自動分析装置における装置状況を示す状況画面を生成して表示部に表示させる。【００１７】
特に、情報管理部は、自動分析装置からアラートが通知された際に、自動分析装置の装置情報に基づいて、自動分析装置に対応する装置ボタンの表示が変化するように表示部に表示させる。
【発明の効果】
【００１８】
本願において開示される発明のうち、代表的なものによって得られる効果を簡単に説明すれば以下のとおりである。【００１９】
（１）自動分析装置の状況を確認する際の工数を低減することができる。【００２０】
（２）上記（１）により、検査効率を向上させることができる。
【図面の簡単な説明】
【００２１】
【図１】一実施の形態による自動分析システムにおける構成の一例を示す説明図である。
【図２】図１の自動分析装置を複数台有する自動分析システムにおける構成の一例を示す説明図である。
【図３】図２の自動分析システムが有する操作部ＰＣ、情報管理ＰＣ、およびタブレット端末における機能構成の一例を示すブロック図である。
【図４】図３の自動分析システムが有するタブレット端末における画面表示の一例を示す説明図である。
【図５】図３の自動分析システムによるログオン処理の一例を示すフローチャートである。
【図６】図３の自動分析システムが有するタブレット端末に表示されるログオン成功後におけるメイン画面に表示されるホーム画面の一例を示す説明図である。
【図７】図３の自動分析システムが有するタブレット端末に表示されるログオン画面およびホーム画面を含んだ画面階層の一例を示す説明図である。
【図８】図６のホーム画面にて自動分析装置を選択した際にタブレット端末に表示されるメイン画面の一例を示す説明図である。
【図９】図８の装置ボタンに表示される各種アイコンにて示される通知内容を表示するふきだし画面の一例を示す説明図である。
【図１０】図９のふきだし画面における他の例を示す説明図である。
【図１１】図８に示す装置ボタンにおける表示状態の遷移例を示す説明図である。
【図１２】図３の自動分析システムが有するタブレット端末に表示される画面階層と装置ボタンとの関係の一例を示す説明図である。
【図１３】図９に示すふきだし画面操作の具体例を示す説明図である。
【図１４】図８に示す装置ボタンの配置変更の一例を示す説明図である。
【発明を実施するための形態】
【００２２】
実施の形態を説明するための全図において、同一の部材には原則として同一の符号を付し、その繰り返しの説明は省略する。
以下、実施の形態を詳細に説明する。
〈自動分析システムの構成例１〉
【００２３】
図１は、一実施の形態による自動分析システムにおける構成の一例を示す説明図である。
【００２４】
この図１に示す自動分析システムは、１台の自動分析装置を有する全体構成を概略的に示したものである。
【００２５】
自動分析システム１００は、図１に示すように、自動分析装置１０１、通信機器１１０、操作部ＰＣ１１１、情報管理ＰＣ１１２、無線機器１１３、および通信機器１３０を有する。
【００２６】
自動分析装置１０１は、試料投入部１０４、分析部１０６ａ，１０６ｂ，１０６ｃ、搬送ライン１０５、および試料収納部１０９などを有する。この自動分析装置１０１は、例えばネットワーク接続によって操作部ＰＣ１１１およびタブレット端末１１４に接続されている。
【００２７】
試料投入部１０４と試料収納部１０９とは、試料ラック１０３を搬送する搬送ライン１０５によって接続されている。試料投入部１０４は、試料ラック１０３が投入される。試料ラック１０３は、分析対象である試料が収容された試料容器１０２を複数搭載する。試料収納部１０９は、試料ラック１０３を収納する。
【００２８】
分析部１０６ａ，１０６ｂ，１０６ｃは、搬送ライン１０５に沿ってそれぞれ配置されている。なお、図１では、３つの分析部１０６ａ，１０６ｂ，１０６ｃが配置されている例を示しているが、分析部の数に制限はなく、１つ以上であればよい。
【００２９】
操作部ＰＣ１１１は、自動分析装置１０１全体の動作を制御するものであり、例えばハブなどからなる通信機器１１０を介して自動分析装置１０１に接続されている。また、通信機器１１０には、例えばパーソナルコンピュータなどの情報管理ＰＣ１１２が接続されている。情報管理ＰＣ１１２は、例えば無線ルータなどの無線機器１１３が接続されており、該無線機器１１３による無線通信によってタブレット端末１１４と通信することができる。
【００３０】
試料投入部１０４には、分析対象である試料が収容された試料容器１０２が複数配置された試料ラック１０３が投入され、搬送ライン１０５を介して各分析部１０６ａ，１０６ｂ，１０６ｃや試料収納部１０９などに搬送される。
【００３１】
試料容器１０２に収容される試料としては、キャリブレーション測定に用いるキャリブレーション試料、精度管理測定に用いる精度管理試料、あるいは血液や尿などの生体試料である患者試料などがある。
【００３２】
試料ラック１０３に搭載される各試料容器１０２には、収容される試料を識別する図示しないタグが設けられている。このタグは、例えばバーコードやＲＦＩＤ（Radio Frequency IDentification）であり、図示しない読み取り装置によって識別情報が読み取られ、操作部ＰＣ１１１などに送られる。
【００３３】
分析部１０６ａは、反応ディスク１２０ａ、試料分注機構１２１ａ、試薬ディスク１０８ａ、試薬分注機構１２２ａ、および測光機構１２３ａなどを有する。反応ディスク１２０ａは、複数の反応容器を有する。
【００３４】
試料分注機構１２１ａは、搬送ライン１０５により搬送される試料容器１０２に収容された試料を反応容器に分注する。試薬ディスク１０８ａは、試料の分析に用いる試薬を収容した複数の試薬容器１０７を設置する。
【００３５】
試薬分注機構１２２ａは、試薬ディスクに設置された試薬容器１０７の試薬を吸引して反応容器に分注する。測光機構１２３ａは、反応容器に収容された試料と試薬の混合液の吸光度や散乱光強度などを測定する。
【００３６】
分析部１０６ａは、測光機構１２３ａから得られた光学情報を解析することによって試料内の所定物質の含有濃度などを分析することができる。分析部１０６ｂ，１０６ｃについても、分析部１０６ａと同様の構成を有しており、それぞれ、反応ディスク１２０ｂ，１２０ｃ、試料分注機構１２１ｂ，１２１ｃ、試薬ディスク１０８ｂ，１０８ｃ、試薬分注機構１２２ｂ，１２２ｃ、および測光機構１２３ｂ、１２３ｃなどを有する。
【００３７】
端末装置であるタブレット端末１１４は、無線機器１１３を介して情報管理ＰＣ１１２と通信可能に接続されており、該タブレット端末１１４からの指示により、情報管理ＰＣ１１２を経由して操作部ＰＣ１１１から装置情報を取得する。これによって、オペレータ２００は、タブレット端末１１４の画面から自動分析装置１０１の各情報を見ることができる。
〈自動分析システムの構成例２〉
【００３８】
図２は、図１の自動分析装置を複数台有する自動分析システムにおける構成の一例を示す説明図である。
【００３９】
この図２では、操作部ＰＣ１１１がそれぞれ接続された自動分析装置１０１ａ〜１０１ｄを４台接続した例を示したものである。なお、自動分析装置の接続台数については、特に制限はない。
【００４０】
自動分析装置１０１ａ〜１０１ｄには、ハブなどからなる通信機器１１０ａ〜１１０ｄがそれぞれ接続されている。通信機器１１０ａ〜１１０ｄは、通信機器１３０にそれぞれ接続されている。
【００４１】
よって、自動分析装置１０１ａ〜１０１ｄは、通信機器１１０ａ〜１１０ｄおよび通信機器１３０を介して、情報管理ＰＣ１１２にそれぞれ接続されている。情報管理ＰＣ１１２は、接続した無線機器１１３と無線通信によってタブレット端末１１４と通信可能に接続されている。
〈機能構成例〉
【００４２】
図３は、図２の自動分析システムが有する操作部ＰＣ、情報管理ＰＣ、およびタブレット端末における機能構成の一例を示すブロック図である。
【００４３】
この図３において、自動分析システム１００における接続構成は、図２と同様であり、操作部ＰＣ１１１ａ，１１１ｂ，１１１ｃ，１１１ｄは、通信機器１１０ａ，１１０ｂ，１１０ｃ，１１０ｄおよび通信機器１３０を通じて情報管理ＰＣ１１２にそれぞれ接続されている。また、情報管理ＰＣ１１２は、無線機器１１３を通じて無線通信により情報の授受が行われる。
【００４４】
なお、操作部ＰＣ１１１ｂ〜１１１ｄは、操作部ＰＣ１１１ａと同様の機能構成であるので、図３では、省略している。
【００４５】
操作部ＰＣ１１１ａは、図示するように、入力部２０１、表示部２０２、装置情報管理部２０４、対情報管理ＰＣ通信部２０５、記憶部２０６、および対分析部通信部２０７などを有する。
【００４６】
操作部ＰＣ１１１ａは、例えば図１の分析部１０６ａ，１０６ｂ，１０６ｃ、および試料収納部１０９などと通信を行い、自動分析装置１０１ａ全体の動作を制御する。操作部ＰＣ１１１ａは、入力部２０１、表示部２０２、装置情報管理部２０４、対情報管理ＰＣ通信部２０５、記憶部２０６、および対分析部通信部２０７などを有する。
【００４７】
入力部２０１は、例えば、キーボードやマウスなどであり、表示部２０２に表示される各種操作画面のボタン表示のマウスカーソルによる押し下げ、例えばマウスのクリックなどや入力枠へのキーボードからの数字や文字の入力などを行う。すなわち、入力部２０１と表示部２０２とは、ＧＵＩ（Graphical User Interface）にて構成している。
【００４８】
装置情報管理部２０４は、アラーム管理部２２１、試薬管理部２２２、および測定終了管理部２２３を有する。
【００４９】
試薬管理部２２２は、図１の試薬ディスク１０８ａ，１０８ｂ，１０８ｃに設置された試薬容器１０７などの試薬に関する情報の管理を行う。具体的には、分析項目との紐付け、残量管理、１つの分析項目に対して複数の試薬容器１０７が設置された場合の使用優先順の管理、および試薬有効期限の管理などである。
【００５０】
新たに試薬容器１０７が設置された場合、試薬管理部２２２は、記憶部２０６に記憶されている累積試薬情報を検索して過去に同じ試薬容器が設置されていたかを判定する。設置されていた場合には、記憶部２０６に記憶されている試薬情報を取り出し、設置されていなかった場合には、新規の試薬容器１０７として管理する。
【００５１】
また、残量管理においては、入力部２０１を通して設定された分析項目毎の残量のしきい値を下回った試薬について、試薬準備リストあるいは試薬廃棄リストに登録するといった処理も行う。また、試薬管理部２２２は、表示部２０２の表示に関する制御なども行う。
【００５２】
アラーム管理部２２１は、自動分析装置１０１ａに設けられた図示しない検出部からの情報や装置状態などと例えば異常の検出理論などのあらかじめ定めた基準などに基づいて検出された異常を表示部２０２に報知して、タブレット端末１１４に異常を通知するために異常情報を図示しない一時記憶部に記憶する。
【００５３】
測定終了管理部２２３は、自動分析装置１０１ａにて測定したキャリブレーション試料、精度管理試料、または患者試料の測定結果が出力されたかどうか監視する。そして、測定結果が自動分析装置１０１ａから出力されるとタブレット端末１１４に通知するために試料情報の測定終了情報を記憶部２０６に記憶させる。
【００５４】
対情報管理ＰＣ通信部２０５は、情報管理ＰＣ１１２からの要求テキストを受信して、装置情報管理部２０４が管理している情報などの必要な情報を情報管理ＰＣ１１２に送信する。
【００５５】
情報管理ＰＣ１１２は、情報管理通信部２３１、情報管理部２３２、および情報管理記憶部２３３を有する。
【００５６】
情報管理通信部２３１は、タブレット端末１１４との無線通信の制御、タブレット端末１１４に送信する通信テキストの作成、およびタブレット端末１１４から受信した通信テキストの情報の分配を行い、操作部ＰＣ１１１ａに情報を送信する。
【００５７】
情報管理部２３２は、接続している各自動分析装置１０１ａ〜１０１ｄのＩＰアドレスなどの装置の識別情報を情報管理記憶部２３３に記憶させる。また、情報管理部２３２は、タブレット端末１１４から指示された内容に応じて、情報管理通信部２３１を通じて該当自動分析装置に対して装置情報の取得などの通信を行う。
【００５８】
対分析部通信部２０７は、自動分析装置１０１ａとの通信の制御、自動分析装置１０１ａに送信する通信テキストの作成、および自動分析装置１０１ａから受信した通信テキストの情報の分配を行う。
【００５９】
タブレット端末１１４は、端末表示部２０８、端末通信部２０９、端末情報管理部２１０、および端末入力部２１１などを有する。このタブレット端末１１４は、無線機器１１３を通じて情報管理ＰＣ１１２を経由して操作部ＰＣ１１１ａ（〜１１１ｄ）と通信する。これにより、自動分析装置１０１ａ（〜１０１ｄ）から様々な情報を取得したり、自動分析装置１０１ａ（〜１０１ｄ）の操作を行ったりする。
【００６０】
タブレット端末１１４においては、操作部ＰＣ１１１ａと同様に、表示部である端末表示部２０８と端末入力部２１１とによってＧＵＩが構成されている。これにより、操作部ＰＣ１１１ａ（〜１１１ｄ）から送信された試薬情報、アラーム情報、および通知情報を含む種々の情報を受信して端末表示部２０８に表示する。あるいは、端末入力部２１１によって自動分析装置１０１ａ（〜１０１ｄ）に操作指示などを入力して、操作部ＰＣ１１１ａに送信する。
【００６１】
端末通信部２０９は、情報管理ＰＣ１１２との無線通信の制御、情報管理ＰＣ１１２に送信する通信テキストの作成、および情報管理ＰＣ１１２から受信した通信テキストの情報の分配などを行う。
【００６２】
情報管理部である端末情報管理部２１０は、操作部ＰＣ１１１ａ（〜１１１ｄ）から情報管理ＰＣ１１２を介して受信した自動分析装置に関するアラーム情報および試薬情報などを含む情報の管理および端末入力部２１１から画面上の操作処理などを行う。
〈タブレット端末の画面表示例〉
【００６３】
図４は、図３の自動分析システムが有するタブレット端末における画面表示の一例を示す説明図である。
【００６４】
この図４は、タブレット端末１１４を起動した際に表示されるログオン画面の一例を示したものである。
【００６５】
ログオン画面４００には、入力ボックス４０１が表示されており、該入力ボックス４０１の下方には、入力ボックス４０２が表示されている。入力ボックス４０１は、オペレータＩＤを入力するボックスである。オペレータＩＤは、ユニークな番号や文字などであり、オペレータ毎に付与される。入力ボックス４０２は、パスワードを入力するボックスである。
【００６６】
また、入力ボックス４０２の下方には、チェックボックス４０３が表示されており、該チェックボックス４０３の下方には、ログオンボタン４０４が表示されている。チェックボックス４０３は、ログオン情報、すなわち入力ボックス４０１，４０２に入力されたオペレータＩＤおよびパスワードを記憶させたい場合にチェックを行う。これにより、次回からは、入力ボックス４０１，４０２には、オペレータＩＤおよびパスワードがそれぞれ入力済みの状態となる。
【００６７】
このログオン画面４００において、オペレータＩＤおよびパスワードをそれぞれ入力ボックス４０１，４０２に入力して、ログオンボタン４０４を押すことにより、オペレータＩＤおよびパスワードの認証がそれぞれ行われる。
【００６８】
図３の自動分析装置１０１ａ〜１０１ｄの操作部ＰＣ１１１ａ〜１１１ｄが有する記憶部２０６には、オペレータＩＤおよびパスワードがそれぞれ記憶されている。タブレット端末１１４から入力したオペレータＩＤおよびパス―ワードは、各操作部ＰＣ１１１ａ〜１１１ｄの記憶部２０６に記憶されているオペレータＩＤおよびパスワードと照合されてログオン処理が行われる。
【００６９】
続いて、オペレータＩＤおよびパスワードの照合するログオン処理について説明する。
〈ログオン処理例〉
【００７０】
図５は、図３の自動分析システムによるログオン処理の一例を示すフローチャートである。
【００７１】
各自動分析装置１０１ａ〜１０１ｄのネットワーク接続状況は、情報管理ＰＣ１１２の情報管理記憶部２３３に記憶されており、該情報管理記憶部２３３に記憶された情報を参照してネットワークが接続している自動分析装置数分の処理が繰り返えされる（Ｓ１０１〜Ｓ１０５）。
【００７２】
まず、情報管理ＰＣ１１２の情報管理部２３２は、操作部ＰＣ１１１ａの記憶部２０６に記憶されているオペレータＩＤおよびパスワードとタブレット端末１１４から入力されたオペレータＩＤおよびパスワードと照合する（ステップＳ１０２）。
【００７３】
一致するものが見つかった場合、自動分析装置１０１ａへのアクセスは可能と判定する（ステップＳ１０３）。一致するものが見つからなかった場合には、自動分析装置１０１ａへのアクセスは不可と判定する（ステップＳ１０４）。また、アクセス不可と判定された自動分析装置１０１ａの情報は参照不可となる。
【００７４】
これらステップＳ１０２〜Ｓ１０４の処理を繰り返して、接続している全ての自動分析装置１０１ａ〜１０１ｄに対する処理が終了となる。
【００７５】
その後、１台以上のアクセス可能な自動分析装置があれば（ステップＳ１０６）ログオンが成功となり（ステップＳ１０７）、メイン画面に遷移する。アクセス可能な自動分析装置が１台もなければログオン失敗となり（ステップＳ１０８）、メイン画面に遷移しない。
〈ホーム画面の表示例〉
【００７６】
図６は、図３の自動分析システムが有するタブレット端末に表示されるログオン成功後におけるメイン画面に表示されるホーム画面の一例を示す説明図である。
【００７７】
なお、図６に示すホーム画面は、情報管理部２３２から受け取った図５のログオン処理の処理結果に基づいて端末情報管理部２１０が主体となって生成する。
【００７８】
ホーム画面１４００には、上方から下方にかけて、装置選択ボタン１４０１ａ、装置選択ボタン１４０１ｂ、装置選択ボタン１４０１ｃ、および装置選択ボタン１４０１ｄがそれぞれ表示されている。
【００７９】
これら装置選択ボタン１４０１ａ〜１４０１ｄは、タブレット端末１１４にて接続可能な自動分析装置にそれぞれ対応しており、任意の自動分析装置を選択するボタンである。
【００８０】
図６に示した例では、上述したように装置選択ボタン１４０１ａ、装置選択ボタン１４０１ｂ、装置選択ボタン１４０１ｃ、および装置選択ボタン１４０１ｄが表示されている。すなわち、タブレット端末１１４から接続して情報表示できる自動分析装置が４台あることを示している。
【００８１】
装置選択ボタン１４０１ａには、装置名称１４０２ａおよび装置状態アイコン１４０３ａがそれぞれ表示されている。なお、装置選択ボタン１４０１ｂ〜１４１０ｄにおいても、同様に装置名称１４０２ｂ〜１４０２ｄおよび装置状態アイコン１４０３ａ〜１４０３ｄがそれぞれ表示されている。
【００８２】
装置名称１４０２ａは、各々の自動分析装置に付与された名称であり、装置選択ボタンがどの自動分析装置に対応した選択ボタンであるか認識できるようになっている。装置状態アイコン１４０３ａは、自動分析装置が分析中や待機中などの装置状態をアイコンの色で区別して表示する。
【００８３】
また、図５のログオン処理において、ログオンに失敗した自動分析装置に対しては、ログオンに成功した装置状態とは区別して表示するとともに、装置選択ボタン押せないように制御される。
【００８４】
図６では、装置アイコン１４０３ｄ、すなわち装置名称が「４号機」の自動分析装置がオフライン状態であることを示しており、例えば装置アイコン１４０３ｄが他の装置アイコン１４０３ａ〜１４０３ｃとは異なる色などによって表示されている例を示している。また、自動分析装置がオフライン状態である装置アイコン１４０３ｄは、押せないように制御されている。
【００８５】
オフライン状態ではない装置選択ボタン、例えば装置選択ボタン１４０１ａを押すことにより「１号機」の自動分析装置に対するメインのベース画面が表示される。もし、装置名称が「２号機」の自動分析装置に接続したい場合には、装置選択ボタン１４０１ｂを押す操作になる。
〈階層化画面例〉
【００８６】
図７は、図３の自動分析システムが有するタブレット端末に表示されるログオン画面およびホーム画面を含んだ画面階層の一例を示す説明図である。
【００８７】
なお、図７に示す階層化された画面についても、タブレット端末１１４の端末情報管理部２１０が主体となって生成するものである。
【００８８】
まず、ログオン画面４００においてログオンが成功すると、ホーム画面１４００が表示される。ホーム画面１４００において、例えば図６の装置選択ボタン１４０１ａ、すなわち装置名称が「１号機」の自動分析装置に対する装置選択ボタンを押すと、装置名称が「１号機」の自動分析装置におけるオーバービュー画面１２０３ａが表示される。オーバービュー画面は、装置名称が「１号機」の自動分析装置全体の装置状況を示す画面である。
【００８９】
オーバービュー画面１２０３ａは、その下層にカテゴリ分けした状況画面として、アラーム状況画面１２０４ａ、試薬状況画面１２０５ａ、ラック状況画面１２０６ａを有する。これらオーバービュー画面１２０３ａ、アラーム状況画面１２０４ａ、試薬状況画面１２０５ａ、ラック状況画面１２０６ａは、状況画面となる。
【００９０】
アラーム状況画面１２０４ａは、自動分析装置におけるアラームの発生状況を示す画面である。試薬状況画面１２０５ａは、試薬の残量状況などを示す画面である。ラック状況画面１２０６ａは、図１の試料収納部１０９に収納された試料ラック１０３および試料ラック１０３上の試料の測定状況を示す画面である。
【００９１】
これらアラーム状況画面１２０４ａ、試薬状況画面１２０５ａ、ラック状況画面１２０６ａは、上述したように装置状態ボタン１４０３ａが押されているので、装置名称が「１号機」の自動分析装置における状況画面である。
【００９２】
アラーム状況画面１２０４ａ、試薬状況画面１２０５ａ、ラック状況画面１２０６ａはお互いに画面遷移することができる。また、図示されていないが、アラーム状況画面１２０４ａ、試薬状況画面１２０５ａ、ラック状況画面１２０６ａは、各画面の階層下にさらに詳細情報を示すアラーム詳細画面、試薬詳細画面、およびラック詳細画面をそれぞれ表示することができる。
【００９３】
タブレット端末１１４に表示される階層化画面は、図７に示したように、接続した「１号機」〜「４号機」の自動分析装置に対して同じ画面階層をそれぞれ有しており、それぞれの自動分析装置の状況を各画面に表示するように構成されている。
【００９４】
なお、上述した画面の階層化については、装置名称が「２号機」、「３号機」、「４号機」の自動分析装置についても同様である。例えば「２号機」に対応するオーバービュー画面１２０３ｂの場合は、その下層にカテゴリ分けした状況画面として、アラーム状況画面１２０４ｂ、試薬状況画面１２０５ｂ、ラック状況画面１２０６ｂをそれぞれ有する。
〈メイン画面の表示例〉
【００９５】
図８は、図６のホーム画面にて自動分析装置を選択した際にタブレット端末に表示されるメイン画面の一例を示す説明図である。
【００９６】
メイン画面は、図８（ａ）に示すように、第１の表示領域６０１、階層化リスト６０４、および第２の表示領域６０２によって構成される。第１の表示領域６０１の下方には、階層化リスト６０４が表示され、該階層化リスト６０４の下方には、状況画面である第２の表示領域６０２が表示される。これら第１の表示領域６０１および第２の表示領域６０２により状況確認画面が構成される。
【００９７】
第１の表示領域６０１には、装置ボタン６０３が配置される。この装置ボタン６０３は、接続された自動分析装置にそれぞれ対応するボタンである。図８（ａ）では、４つの装置ボタン６０３があり、４台の自動分析装置が接続されている状態であることを示している。
【００９８】
第２の表示領域６０２は、接続された自動分析装置のうち、選択された１台の自動分析装置の装置情報すなわち、アラーム状況や試薬状況などを表示するベース画面のエリアである。この図８（ａ）の例では、ベース画面が装置名称「１号機」の自動分析装置におけるアラーム状況画面を表示している例を示している。
【００９９】
階層化リスト６０４は、ベース画面の階層構造を表示するリストであり、現在表示しているベース画面がどの画面階層であるかを示すものである。図６の例では、階層化リスト６０４の左端の「ホーム」が階層の最上位画面を示しており、右端の「アラーム状況」が現在の表示中の画面を示している。また、階層化リスト６０４の下線部のある表示を選択すると、ベース画面は、選択された画面に遷移して表示される。
【０１００】
ここで、第１の表示領域６０１の装置ボタン６０３に表示される各種アイコンについて説明する。
【０１０１】
装置ボタン６０３内は、図８（ｂ）に示すように、アラーム通知アイコン６０５、試料残量不足通知アイコン６０６、キャリブレーション／精度管理試料の測定終了通知アイコン６０７、緊急患者試料の測定終了通知アイコン６０８がそれぞれ表示されている。これらのアイコンは、アラートアイコンとなる。
【０１０２】
第１のアイコンであるアラーム通知アイコン６０５は、アラーム通知情報を通知するアイコンである。第２のアイコンである試料残量不足通知アイコン６０６は、試薬残量不足を通知するアイコンである。
【０１０３】
第３のアイコンであるキャリブレーション／精度管理試料の測定終了通知アイコン６０７は、キャリブレーションおよび精度管理試料の測定終了を通知するアイコンである。第４のアイコンである緊急患者試料の測定終了通知アイコン６０８は、緊急患者試料の測定終了を通知するアイコンである。
【０１０４】
アラーム通知情報は、自動分析装置において発生したアラーム通知をアラーム管理部２２１から情報管理ＰＣ１１２を通じてタブレット端末１１４に送信される。
【０１０５】
タブレット端末１１４がアラーム通知を受信すると、端末情報管理部２１０は、当該自動分析装置に対応する装置ボタン６０３に表示されるアラーム通知アイコン６０５を点滅させる。
【０１０６】
また、発生するアラームには、重要度のレベルが分かれており、レベル毎に異なる色にてアイコンを点滅表示させる。例えば、重要度を「注意」、「ストップ」の２段階のレベルに分けた色のアイコンでそれぞれ点滅表示させる。
【０１０７】
端末情報管理部２１０は、「注意」レベルと「ストップ」レベルとのアラームの発生が重なった場合、例えば「注意」＜「ストップ」の優先順で高いほうのレベルのアイコンを表示する。
【０１０８】
試薬残量不足通知は、自動分析装置１０１に搭載されている試薬の残量情報を記憶部２０６から取得して試薬管理部２２２が試薬不足のチェックした結果を試薬残量不足通知としてタブレット端末１１４に定期的に送信する。
【０１０９】
タブレット端末１１４において、試薬残量不足通知を受信すると、端末情報管理部２１０は、自動分析装置の装置ボタン６０３内の試薬不足通知アイコン６０６を点滅させる。または発生した試薬残量不足レベルが分かれており、レベル毎に異なる色のアイコンで点滅表示させる。
【０１１０】
例えば試薬残量不足レベルは、３段階のしきい値を設定して、第１のしきい値を下回っている試薬容器１０７は「準備」、第１のしきい値より残量が少ない第２のしきい値を下回っている試薬容器１０７は「注意」、そして、残量が０になった試薬容器１０７は「警告」の３つのレベルに応じたアイコンを表示させる。
【０１１１】
また、各レベルの試薬残量不足が重なった場合には、「準備」＜「注意」＜「警告」の優先順にて最も高いアイコンを表示するようにしてもよい。
【０１１２】
キャリブレーション試料／精度管理試料測定終了通知は、自動分析装置にて測定したキャリブレーション試料または精度管理試料の測定が終了した際に、測定終了管理部２２３を介してタブレット端末１１４に送信される。
【０１１３】
タブレット端末１１４において、測定終了通知を受信すると端末情報管理部２１０は、該当する自動分析装置の装置ボタン６０３内のキャリブレーション試料／精度管理試料測定終了通知アイコン６０７を点滅させる。
【０１１４】
図８の例では、キャリブレーション／精度管理試料の測定終了通知アイコン６０７がキャリブレーションと試料の精度管理試料とを統合したアイコンとしているが、アイコンを別々に分けて表示するようにしてもよい。
【０１１５】
緊急患者試料の測定結果通知は、自動分析装置にて緊急患者試料の測定が終了した時に、測定終了管理部２２３を介してタブレット端末１１４に送信される。緊急患者試料は、例えば緊急患者の試料容器１０２を緊急患者試料用バーコードの貼った試料ラック１０３に搭載して測定することにより、該自動分析装置がバーコードを読み取り、緊急患者試料であることを認識する。
【０１１６】
タブレット端末１１４において、患者試料通知を受信すると、端末情報管理部２１０は、自動分析装置の装置ボタン６０３内の患者試料通知アイコン６０８を点滅させる。
【０１１７】
上記した各アイコンは、点滅と同時にタブレット端末に備えたスピーカなどを用いて音を鳴らして通知するようにしてもよい。あるいは、点滅表示でなくても、点灯表示や別のアイコン表示や形状を変化させて通知表示してもよい。
〈ふきだし画面例〉
【０１１８】
図９は、図８の装置ボタンに表示される各種アイコンにて示される通知内容を表示するふきだし画面の一例を示す説明図である。
【０１１９】
ふきだし画面７０１は、装置ボタン６０３を押すことにより、第２領域６０２に表示されているベース画面に重なって該ベース画面の前面に表示される。このふきだし画面７０１には、表示されているふきだし画面７０１がどの自動分析装置に対応する画面であるかをオペレータに認識させる装置対応マークが表示される。
【０１２０】
図９の例は、ふきだし画面７０１の上部に三角形７０２が装置対応マークとして表示されている。また、三角形７０２の頂点は、装置名称が「２号機」の自動分析装置に対応する装置ボタン６０３を示しているので、この場合、ふきだし画面７０１の表示は、「２号機」の自動分析装置における通知が表示されていることを示している。
【０１２１】
ふきだし画面７０１は、装置名称７１９および該装置名称７１９に示された自動分析装置の現在の装置状態７２０がそれぞれ表示され、装置ボタン６０３内にて点滅中のアイコンに対応した詳細情報が表示される。
【０１２２】
このように、装置ボタン６０３によって階層が深くなっても、容易に任意の自動分析装置における装置情報をふきだし画面７０１によって確認することができる。
【０１２３】
ふきだし画面７０１は、  アラーム通知エリア７０３、試薬不足通知エリア７０４、および試料測定終了通知エリア７０５を有する。
【０１２４】
アラーム通知エリア７０３には、アイコンなどによって示される「注意」、「警告」のアラームレベル毎に発生中の最新のアラーム情報、発生時刻を表示する。また、「注意」、「警告」毎に確認ボタン７０７が配置されている。この確認ボタン７０７を押すと、ふきだし画面７０１が閉じて、ベース画面は、対応した自動分析装置のアラーム状況画面に遷移する。アラーム状況画面では、アラームの対処法などの詳細情報を確認できる。
【０１２５】
アラーム通知エリア７０３の各レベルの通知内容の表示および装置ボタン６０３のアイコン６０５の点滅表示は、ベース画面のアラーム状況画面に遷移すると消える。
【０１２６】
試薬不足通知エリア７０４は、「準備」、「注意」、「警告」のレベル毎に発生中の試薬不足情報を表示する。また、「準備」、「注意」、「警告」毎に確認ボタン７０８が配置されている。
【０１２７】
そして、確認ボタン７０８を押すと、ふきだし画面７０１が閉じて、ベース画面は、対応した分析装置の試薬状況画面に遷移する。試薬不足通知エリア７０４は、試薬状況画面でどの試薬が不足しているかなどの詳細情報を確認することができる。
【０１２８】
試薬不足通知エリア７０４の各レベルの通知内容の表示および試料残量不足通知アイコン６０６の点滅表示は、試薬残量不足レベルの予め設定されるしきい値以上の量になるように、対象となる図１の試薬ディスク１０８ａ〜１０８ｃの試薬を交換したり補充することで消える。
【０１２９】
試料測定終了通知エリア７０５は、キャリブレーション試料、精度管理試料、緊急患者試料の測定終了時刻と通知内容を表示する。試料通知毎にＯＫボタン７０９が配置されており、ＯＫボタン７０９を押すことにより、通知情報が削除される。
【０１３０】
また、表示中のふきだし画面７０１は「閉じる」ボタン７１８または装置ボタン６０３を押下することで閉じる。ふきだし画面７０１を閉じると、ふきだし画面７０１の表示前のベース画面が表示される。
【０１３１】
これにより、例えばオペレータが１つの自動分析装置のベース画面を参照しながら作業をしている最中に別の自動分析装置でアラームが発生した際に、ふきだし画面７０１にて別の自動分析装置のアラーム内容を確認することができる。
【０１３２】
この確認により、対処する必要があるアラームの場合には、確認ボタンを押して該当する自動当分析装置のアラーム状況画面を参照してアラームの詳細や対処方法などをスムーズに確認することができる。
【０１３３】
もし対処する必要がないアラームの場合には、ふきだし画面７０１を閉じることで作業中だった自動分析装置のベース画面に直ちに戻ることができるので、画面遷移操作の手間をかけることなく、容易に途中の作業を継続することができる。
〈ふきだし画面の他の例〉
【０１３４】
図１０は、図９のふきだし画面における他の例を示す説明図である。
【０１３５】
この図１０では、通知情報として、装置ボタン６０３にアイコン６０９，６１０を追加し、ふきだし画面７０１には、試料異常通知７０５およびメンテナンス終了通知７０６をそれぞれ追加した例を示したものである。
【０１３６】
試料異常通知７０５は、自動分析装置１０１にて試料を試料分注機構１２１ａによる分注時に分注ノズルの詰まりを検知したり、試料の量の不足を検知した場合に、自動分析装置２００から操作部ＰＣ１１１に試料異常通知が報告され、情報管理ＰＣ１１２を通じてタブレット端末１１４に通知される。
【０１３７】
タブレット端末１１４において、端末情報管理部２１０は、通知を受けると、装置ボタン６０３の試料異常を通知する第５のアイコンであるアイコン６０９を点滅させる。また、端末情報管理部２１０は、対応するふきだし画面７０１に試料異常通知７０５に試料異常通知内容として、発生時刻、試料詰まりや試料不足の異常内容、試料を特定する試料ＩＤ番号などを表示する。
【０１３８】
これにより、オペレータは図１０に示す画面の情報を見て、異常となった試料の対処を行い、迅速に再測定の準備を行うことができる。
【０１３９】
メンテナンス終了通知７０６は、自動分析装置の操作部ＰＣ１１２から自動分析装置２００に対して実行したメンテナンスに対して、自動分析装置２００からの終了通知を操作部ＰＣ１１２が受信すると、情報管理ＰＣ１１２を通じてタブレット端末１１４に通知される。
【０１４０】
タブレット端末１１４において、端末情報管理部２１０は、通知を受けると、装置ボタンのアイコン６１０を点滅させる。このアイコン６１８は、自動分析装置のメンテナンスの終了を通知するアイコンである。
【０１４１】
そして、端末情報管理部２１０は、ふきだし画面７０１のメンテナンス終了通知７０６に通知内容として、終了時刻、メンテナンス項目、およびメンテナンスの対象部位などを表示する。
【０１４２】
これにより、オペレータは、メンテナンス終了通知７０６に通知内容を見るだけで、自動分析装置のメンテナンスが終了したことを知ることができるので、迅速にルーチンの開始や次のメンテナンスの準備に取り掛かることができる。
〈装置ボタンの表示遷移〉
【０１４３】
図１１は、図８に示す装置ボタンにおける表示状態の遷移例を示す説明図である。
【０１４４】
複数台の自動分析装置の各状況画面を表示する場合には、ベース画面やふきだし画面などの複数の表示画面がどの分析装置に対応しているかを分かりやすく表示することは重要である。
【０１４５】
このため、装置ボタン６０３の表示は、ベース画面選択状態８０４、ふきだし画面選択状態８０５、画面非選択状態８０３、オフライン状態８０２の４つの表示状態を有し、各状態が分かるように装置ボタン表示を切り替える。
【０１４６】
ベース画面選択状態８０４は、第１の表示状態であり、ふきだし画面選択状態８０５は、第２の表示状態である。画面非選択状態８０３は、第３の表示状態である。
【０１４７】
オフライン状態８０２は、図５のログオン処理におけるステップＳ１０４の処理にてアクセス不可と判定された状態である。この状態にある自動分析装置は、装置状況などの情報を参照することはできないために、装置ボタン６０３も押せない状態となる。
【０１４８】
画面非選択状態８０３は、図５のログオン処理におけるステップＳ１０３の処理にてアクセス可能な自動分析装置であり、ベース画面もふきだし画面も選択していない状態である。
【０１４９】
ベース画面が選択されると、ベース画面選択状態８０４に遷移する。装置ボタン６０３を押すと、ふきだし画面選択状態８０５に遷移する。ベース画面選択状態８０４は、図５のステップＳ１０３の処理にてアクセス可能な自動分析装置であり、ベース画面が選択されている状態である。
【０１５０】
別の自動分析装置のベース画面が選択されると画面非選択状態８０３となる。図１１では、ベース画面選択状態８０４にて同一の装置ボタンを押してもベース画面選択状態８０４のままとしているが、ベース画面とふきだし画面との両画面の選択状態を別の状態として管理してもよい。
【０１５１】
ふきだし画面選択状態８０５は、図５のステップＳ１０３の処理にてアクセス可能な自動分析装置であり、ベース画面非選択で、かつふきだし画面を表示している状態である。別の自動分析装置に対して装置ボタン６０３の押下またはベース画面を選択すると、ふきだし画面７０１が閉じて画面非選択状態８０３になる。任意の自動分析装置のベース画面を選択すると、ふきだし画面が閉じてベース画面選択状態８０４になる。
【０１５２】
ここで、装置ボタン６０３の表示は、ベース画面選択状態、ふきだし画面選択状態、画面非選択状態、およびオフライン状態にてそれぞれ区別するようにすれば表示している画面がどの自動分析装置に対応しているのかを分かりやすくすることができる。
【０１５３】
例えば図９には、左側から右側にかけて、装置ボタン６０３が、ベース画面選択状態、ふきだし画面選択状態、画面非選択状態、およびオフライン状態であることをそれぞれ示しており、これら装置ボタン６０３は、各々の状態に応じて背景色またはボタン形状、ボタン枠線などが異なる表示となっている。
〈画面階層と装置ボタンの関係〉
【０１５４】
図１２は、図３の自動分析システムが有するタブレット端末に表示される画面階層と装置ボタンとの関係の一例を示す説明図である。
【０１５５】
図１２に示す画面１４１１は、タブレット端末１１４に表示されるふきだし画面の表示状態をわかりやすく模式化して示したものである。
【０１５６】
メイン画面６０２は、装置名称が「１号機」の自動分析装置における試薬状況画面１２０５ａを表示した状態であり、「１号機」の自動分析装置に対応する装置ボタン６０３は、メイン画面６０２が現在「１号機」を選択していることが分かるようなボタン形状または背景色を表示する。
【０１５７】
ふきだし画面７０１は、メイン画面６０２の上面に表示する。ふきだし画面７０１に表示されている情報は、「２号機」の情報であることが分かるように装置ボタン６０３の形状または背景色を表示する。
【０１５８】
２号機の情報を示したふきだし画面７０１において、アラーム確認ボタン７０７または試薬確認ボタン７０８を押すとメイン画面６０２が「２号機」のアラーム状況画面１２０４ｂまたは試薬状況画面１２０５ｂにそれぞれ遷移する。
【０１５９】
画面１４１１の下方に示す画面１４１２は、「２号機」の自動分析装置に対応するふきだし画面７０１のアラーム確認ボタン押下後の画面表示の例を示している。
【０１６０】
この場合、メイン画面６０２は「２号機」の自動分析装置におけるアラーム状況画面１２０４ｂを表示しており、対応する２号機の装置ボタン６０３は、メイン画面が現在２号機を選択していることが分かるようなボタン形状または背景色を表示する。
〈画面操作例〉
【０１６１】
図１３は、図９に示すふきだし画面操作の具体例を示す説明図である。
【０１６２】
図１３の左側に示す画面では、現在オペレータが試薬を準備するために表示している装置名称「１号機」の自動分析装置における試薬状況画面１１０１を表示しているものとする。
【０１６３】
最も左側に表示されている「１号機」の自動分析装置に対応する装置ボタン６０３は、表示中のベース画面が「１号機」の画面であることを示すボタン形状および背景色を表示している。
【０１６４】
この状態にて、「２号機」の自動分析装置からアラームが発生すると、アラーム音とともに「２号機」の自動分析装置に対応する装置ボタン６０３に表示されるアラーム通知アイコン６０５が点滅する。
【０１６５】
オペレータは、アラーム内容を確認するために「２号機」の自動分析装置に対応する左から２つめの装置ボタン６０３を押すと、現在ベース画面である「１号機」の自動分析装置に対応する試薬状況画面１２０５の前面に重ねるように「２号機」の自動分析装置に対応するふきだし画面７０１を表示する。
【０１６６】
「２号機」の自動分析装置に対応する装置ボタン６０３は、ふきだし画面７０１を表示した形状あるいは背景色に変わる。「１号機」の自動分析装置に対応する装置ボタン６０３は、ベース画面が「１号機」のままであるため変わらない。
【０１６７】
オペレータは、ふきだし画面７０１にてアラーム内容を確認する。アラーム内容が対処不要のアラームであれば、閉じるボタン７１８を押すことにより、ふきだし画面７０１が閉じてベース画面である「１号機」の試薬状況画面に戻り、オペレータは引き続き試薬の準備作業を続行する。
【０１６８】
アラーム内容が対処必要なアラームであれば、確認ボタン７０７を押すことにより、ベース画面が「２号機」の自動分析装置に対応するアラーム状況画面１２０４に切り替わる。
【０１６９】
この時、「２号機」の自動分析装置に対応する装置ボタン６０３は、ベース画面を示す形状または背景色となり、「１号機」の自動分析装置に対応する装置ボタン６０３は、非選択状態を示す形状または背景色となる。
〈装置ボタンの配置変更〉
【０１７０】
図１４は、図８に示す装置ボタンの配置変更の一例を示す説明図である。
【０１７１】
この図１４は、例えばオペレータなどによって図８などに示す装置ボタン６０３の表示配列を変更するカスタマイズ例について説明する。
【０１７２】
図１４において入力される情報が装置ボタン設定情報となる。
【０１７３】
装置ボタン６０３の配列を変更する際には、タブレット端末１１４の端末表示部２０８に図１４に示す表示順リスト９００を表示させる。これらの表示処理は、端末情報管理部２１０により実行される。
【０１７４】
表示順リスト９００には、表示順番号９０１、装置名９０２、および表示ボタン９０６がそれぞれ表示される。表示順番号９０１は、接続した自動分析装置の表示順番を示す。装置名９０２は、表示順番号９０１に対応付けされた自動分析装置の装置名を示す。表示ボタン９０６は、自動分析装置の装置ボタン６０３を表示するか非表示にするかを設定するボタンである。
【０１７５】
表示順リスト９００の右上方には、変更を確定する確定ボタン９０３が表示されている。表示順リスト９００の下方には、左側に上へボタン９０４が表示され、該上へボタン９０４の右側には、下へボタン９０５が表示されている。
【０１７６】
表示順リスト９００において、変更したい自動分析装置の装置名を選択すると、選択した行の背景色が変わり選択状態となる。この状態にて、上へボタン９０４を１回押すと１行上の表示と表示順番が入れ替わり、選択した装置の順番が１つ繰り上がる。
【０１７７】
また、下へボタン９０５を１回押すと１行下の表示と表示順番が入れ替わり、順番が１つ繰り下がる。このようにしてオペレータは、好みに合わせて画面上の自動分析装置の表示順を入れ替えることができる。
【０１７８】
図１４では、装置名が「System1」である自動分析装置に対応する装置ボタン６０３、装置名が「System4」である自動分析装置に対応する装置ボタン６０３、続いて装置名が「System2」である自動分析装置に対応する装置ボタン６０３の順番にて表示される例を示している。
【０１７９】
表示ボタン９０６は、装置ボタン６０３を表示するか非表示にするかを切り替えられることができる。表示ボタン９０６を１回押すとチェックマークなし（非表示設定）になり、再度押すとチェックマークあり（表示設定）に切り替わる。
【０１８０】
チェックマークなしの場合は、装置ボタン６０３が非表示となり、チェックマークありの場合は、装置ボタン６０３が表示される。図３では、装置名が「System3」である自動分析装置に対応する装置ボタン６０３が非表示に設定されている例を示している。
【０１８１】
装置ボタン６０３における表示順および表示／非表示の設定が決定すると、確定ボタン９０３を押すことにより、装置ボタン６０３の表示順情報および表示設定情報が情報管理ＰＣ１１２の情報管理記憶部２３３に記憶される。
【０１８２】
再度メイン画面の表示の際、タブレット端末１１４の端末情報管理部２１０は、情報管理記憶部２３３に記憶された装置表示順および表示設定の情報に従って、図８などに示す第１の表示領域６０１に装置ボタン６０３をそれぞれ表示する。
【０１８３】
また、図６のホーム画面１４００の表示時は、装置表示順および表示設定の情報に従い、装置選択ボタン１４０３ａ〜１４０３ｄの順番を入れ替えて表示する。
【０１８４】
接続する自動分析装置の数が多くなると、画面表示上の各自動分析装置と実際に設置されている分析装置の対応づけがしづらくなるが、図１４の表示順リスト９００を用いて装置ボタン６０３の表示順や表示/非表示などを設定するとこにより、オペレータの管理しやすい順番で自動分析装置の状況をモニタリングすることができる。
【０１８５】
また、表示設定は、接続している１部の自動分析装置の故障やメンテナンスなどによりルーチン測定で使用しない自動分析装置を非表示にしたり、あるいはオペレータの担当する自動分析装置が分かれている場合に、自分の担当以外の自動分析装置を非表示にすることなどを容易に設定することができる。これにより、オペレータが目的とする自動分析装置を画面上にて管理しやすく容易にカスタマイズすることができる。
【０１８６】
以上により、自動分析装置における状況の確認を短時間で効率よく行うことができる。これにより、検査効率を向上させることができる。
【０１８７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１８８】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【０１８９】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【０１９０】
１００  自動分析システム
１０１  自動分析装置
１０２  試料容器
１０３  試料ラック
１０４  試料投入部
１０５  搬送ライン
１０６ａ  分析部
１０６ｂ  分析部
１０６ｃ  分析部
１０７  試薬容器
１０８ａ  試薬ディスク
１０８ｂ  試薬ディスク
１０８ｃ  試薬ディスク
１０９  試料収納部
１１０  通信機器
１１１  操作部ＰＣ
１１２  情報管理ＰＣ
１１３  無線機器
１１４  タブレット端末
１２０ａ  反応ディスク
１２０ｂ  反応ディスク
１２０ｃ  反応ディスク
１２１ａ  試料分注機構
１２１ｂ  試料分注機構
１２１ｃ  試料分注機構
１２２ａ  試薬分注機構
１２２ｂ  試薬分注機構
１２２ｃ  試薬分注機構
１２３ａ  測光機構
１２３ｂ  測光機構
１２３ｃ  測光機構
１３０  通信機器
２０１  入力部
２０２  表示部
２０４  装置情報管理部
２０５  対情報管理ＰＣ通信部
２０６  記憶部
２０７  対分析部通信部
２０８  端末表示部
２０９  端末通信部
２１０  端末情報管理部
２１１  端末入力部
２２１  アラーム管理部
２２２  試薬管理部
２２３  測定終了管理部
２３１  情報管理通信部
２３２  情報管理部
２３３  情報管理記憶部
【図１】
2018168432.tif 000003
【図２】
2018168432.tif 000004
【図３】
2018168432.tif 000005
【図４】
2018168432.tif 000006
【図５】
2018168432.tif 000007
【図６】
2018168432.tif 000008
【図７】
2018168432.tif 000009
【図８】
2018168432.tif 000010
【図９】
2018168432.tif 000011
【図１０】
2018168432.tif 000012
【図１１】
2018168432.tif 000013
【図１２】
2018168432.tif 000014
【図１３】
2018168432.tif 000015
【図１４】
2018168432.tif 000016
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
検体を測定する１台以上の自動分析装置と、
前記自動分析装置に接続される端末装置と、
を有し、
前記端末装置は、
前記自動分析装置から出力される前記自動分析装置の装置状況を示す装置情報を取得して、取得した前記装置情報に基づいて、前記自動分析装置における装置状況を示す状況確認画面を生成する情報管理部と、
前記情報管理部が生成した前記状況確認画面を表示する表示部と、
を有し、
前記表示部が表示する前記状況確認画面は、前記端末装置に接続される前記自動分析装置毎に対応する装置ボタンを表示する第１の表示領域と、
選択された前記装置ボタンに対応する前記自動分析装置の装置状況を表示する第２の表示領域と、
を有し、
前記情報管理部は、前記装置ボタンが選択された際に、選択された前記装置ボタンに対応する自動分析装置の前記装置情報に基づいて、前記自動分析装置における装置状況を示す状況画面を生成して前記表示部に表示させる、自動分析システム。
【請求項２】
請求項１記載の自動分析システムにおいて、
前記情報管理部は、前記自動分析装置からアラートが通知された際に、前記自動分析装置の装置情報に基づいて、前記自動分析装置に対応する装置ボタンの表示が変化するように前記表示部に表示させる、自動分析システム。
【請求項３】
請求項２記載の自動分析システムにおいて、
前記表示部の前記第１の表示領域に表示される前記装置ボタンは、前記アラートの内容に対応する複数のアラートアイコンを有し、
前記情報管理部は、前記自動分析装置のアラートに対応するアラートアイコンの表示を変化させる、自動分析システム。
【請求項４】
請求項３記載の自動分析システムにおいて、
前記情報管理部は、表示が変化した前記アラートアイコンを有した装置ボタンが選択された際に、前記アラートを通知した前記自動分析装置における前記装置情報に基づいて、前記アラートの内容を表示する通知画面を前記表示部の前記第２の表示領域に表示させる、自動分析システム。
【請求項５】
請求項３記載の自動分析システムにおいて、
前記装置ボタンが有する前記アラートアイコンは、
前記自動分析装置のアラーム通知情報を通知する第１のアイコンと、
前記自動分析装置の試薬残量不足を通知する第２のアイコンと、
前記自動分析装置のキャリブレーションまたは精度管理試料の測定終了を通知する第３のアイコンと、
緊急患者試料の測定終了を通知する第４のアイコンと、
を有する、自動分析システム。
【請求項６】
請求項１記載の自動分析システムにおいて、
前記情報管理部は、前記第２の表示領域に自動分析装置のアラーム状況や試薬状況を表示するベース画面を表示している際に、前記装置ボタンが選択されると、選択された前記装置ボタンに対応する状況画面を現在表示されている前記ベース画面の前面に表示し、前面の前記状況画面が閉じられた際に前記状況画面の背面に表示されるベース画面を表示する、自動分析システム。
【請求項７】
請求項６記載の自動分析システムにおいて、
前記情報管理部は、個々の前記装置ボタンに対して、前記第２の表示領域が第１の表示状態、第２の表示状態、または第３の表示状態のいずれであるかによって、個々の前記装置ボタンの表示状態を切り替えており、
前記第１の表示状態は、前記第２の表示領域に表示を切り替える装置ボタンに対応する自動分析装置と同じ自動分析装置の前記ベース画面が表示されている状態であり、
前記第２の表示状態は、前記第２の表示領域に、表示を切り替える装置ボタンに対応する自動分析装置と同じ自動分析装置の前記状況画面が表示されている状態であり、
前記第３の表示状態は、前記第２の表示領域に、表示を切り替える装置ボタンに対応する自動分析装置と同じ自動分析装置の前記ベース画面と前記状況画面のいずれにも表示されていない状態である、自動分析システム。
【請求項８】
請求項５記載の自動分析システムにおいて、
前記情報管理部は、通知する情報の重要度に応じて前記第１のアイコンおよび前記第２のアイコンの表示がそれぞれ区別できるように前記表示部に表示させる、自動分析システム。
【請求項９】
請求項６記載の自動分析システムにおいて、
前記情報管理部は、前記ベース画面の前面に状況画面が表示される際に、どの自動分析装置の状況を表示しているかを示す装置対応マークを前面に表示される前記状況画面に表示させ、
前記装置対応マークは、表示中の前記状況画面に対応する装置ボタンを示す、自動分析システム。
【請求項１０】
請求項１記載の自動分析システムにおいて、
前記情報管理部は、前記自動分析装置を前記端末装置に接続する処理であるログイン処理を完了した自動分析装置に対応する前記装置ボタンと前記ログイン処理が完了していない自動分析装置に対応する前記装置ボタンとの表示状態を区別して前記表示部に表示させる、自動分析システム。
【請求項１１】
請求項１記載の自動分析システムにおいて、
前記端末装置は、情報を入力する入力部を有し、
前記情報管理部は、前記入力部から入力される装置ボタン設定情報に基づいて、前記装置ボタンの表示順番を変更して前記装置ボタンを前記表示部に表示させる、自動分析システム。
【請求項１２】
請求項１記載の自動分析システムにおいて、
前記端末装置は、情報を入力する入力部を有し、
前記情報管理部は、前記入力部から入力される装置ボタン設定情報に基づいて、前記装置ボタンを表示または消去する、自動分析システム。
【請求項１３】
請求項１記載の自動分析システムにおいて、
前記端末装置は、携帯型情報端末である、自動分析システム。
【請求項１４】
請求項５記載の自動分析システムにおいて、
前記装置ボタンが有する前記アラートアイコンは、分析中の試料に異常が発生したことを通知する第５のアイコンを有し、
前記情報管理部は、前記自動分析装置から試料の異常が発生したことが通知されると、前記第５のアイコンが変化するように前記表示部に表示させ、前記装置情報に基づいて、前記試料の異常の内容を表示する通知画面を前記第２の表示領域に表示させる、自動分析システム。
【請求項１５】
請求項６記載の自動分析システムにおいて、
前記情報管理部は、前記状況画面が表示されている際に所定のボタンが選択されると、対応する自動分析装置の前記ベース画面を前記表示部に表示させる、自動分析システム。
【請求項１６】
請求項１５記載の自動分析システムにおいて、
前記情報管理部は、対応する前記自動分析装置の前記ベース画面を表示した際に前記自動分析装置毎に対応する前記装置ボタンの表示を変化させる、自動分析システム。
【請求項１７】
請求項１記載の自動分析システムにおいて、
前記端末装置は、情報を入力する入力部を有し、
前記表示部の前記第１の表示領域に表示される前記装置ボタンは、前記アラートの内容に対応する複数のアラートアイコンを有し、
前記情報管理部は、前記自動分析装置からアラートが通知された際に、前記自動分析装置の装置情報に基づいて、前記自動分析装置に対応する装置ボタンの表示が変化するように前記表示部に表示させ、前記自動分析装置のアラートに対応するアラートアイコンの表示を変化させ、前記入力部から入力される装置ボタン設定情報に基づいて、前記装置ボタンの表示順番を変更して前記装置ボタンを前記表示部に表示させ、前記入力部から入力される装置ボタン設定情報に基づいて、前記装置ボタンを表示または消去する、自動分析システム。
【請求項１８】
請求項１６記載の自動分析システムにおいて、
前記情報管理部は、表示が変化した前記アラートアイコンを有した装置ボタンが選択された際に、前記アラートを通知した前記自動分析装置における前記装置情報に基づいて、前記アラートの内容を表示する通知画面を前記表示部の前記第２の表示領域に表示させる、自動分析システム。
【請求項１９】
請求項１７記載の自動分析システムにおいて、
前記装置ボタンが有する前記アラートアイコンは、
前記自動分析装置のアラーム通知情報を通知する第１のアイコンと、
前記自動分析装置の試薬残量不足を通知する第２のアイコンと、
前記自動分析装置のキャリブレーションまたは精度管理試料の測定終了を通知する第３のアイコンと、
緊急患者試料の測定終了を通知する第４のアイコンと、
を有し、
前記情報管理部は、通知する情報の重要度に応じて前記第１のアイコンおよび前記第２のアイコンの表示がそれぞれ区別できるように前記表示部に表示させる、自動分析システム。
【請求項２０】
請求項１７記載の自動分析システムにおいて、
前記情報管理部は、前記自動分析装置を前記端末装置に接続する処理であるログイン処理を完了した自動分析装置に対応する前記装置ボタンと前記ログイン処理が完了していない自動分析装置に対応する前記装置ボタンとの表示状態を区別して前記表示部に表示させる、自動分析システム。
【請求項２１】
請求項１記載の自動分析システムにおいて、
前記端末装置は、情報を入力する入力部を有し、
前記情報管理部は、前記第２の表示領域に自動分析装置のアラーム状況や試薬状況を表示するベース画面を表示している際に、前記装置ボタンが選択されると、選択された前記装置ボタンに対応する状況画面を現在表示されている前記ベース画面の前面に表示し、前面の前記状況画面が閉じられた際に前記状況画面の背面に表示されるベース画面を表示し、個々の前記装置ボタンに対して、前記第２の表示領域が第１の表示状態、第２の表示状態、または第３の表示状態のいずれであるかによって、個々の前記装置ボタンの表示状態を切り替えており、前記ベース画面の前面に状況画面が表示される際に、どの自動分析装置の状況を表示しているかを示す装置対応マークを前面に表示される前記状況画面に表示させ、前記入力部から入力される装置ボタン設定情報に基づいて、前記装置ボタンの表示順番を変更して前記装置ボタンを前記表示部に表示させ、前記入力部から入力される装置ボタン設定情報に基づいて、前記装置ボタンを表示または消去し、
前記第１の表示状態は、前記第２の表示領域に表示を切り替える装置ボタンに対応する自動分析装置と同じ自動分析装置の前記ベース画面が表示されている状態であり、
前記第２の表示状態は、前記第２の表示領域に、表示を切り替える装置ボタンに対応する自動分析装置と同じ自動分析装置の前記状況画面が表示されている状態であり、
前記第３の表示状態は、前記第２の表示領域に、表示を切り替える装置ボタンに対応する自動分析装置と同じ自動分析装置の前記ベース画面と前記状況画面のいずれにも表示されていない状態であり、
前記装置対応マークは、表示中の前記状況画面に対応する装置ボタンを示す、自動分析システム。
【請求項２２】
請求項２１記載の自動分析システムにおいて、
前記情報管理部は、前記自動分析装置を前記端末装置に接続する処理であるログイン処理を完了した自動分析装置に対応する前記装置ボタンと前記ログイン処理が完了していない自動分析装置に対応する前記装置ボタンとの表示状態を区別して前記表示部に表示させる、自動分析システム。
【国際調査報告】
2018168432.tif 000017
2018168432.tif 000018
2018168432.tif 000019
2018168432.tif 000020
2018168432.tif 000021
2018168432.tif 000022
2018168432.tif 000023
2018168432.tif 000024
2018168432.tif 000025
2018168432.tif 000026